(57)【要約】【課題】通信装置等の電子機器の収容室のデッドスペースを少なくすることができ、保守作業時の保守通路の確保のために機器操作のための作業通路が大幅に侵食されることがない、電子機器用架台を提供する。【解決手段】本発明の電子機器用回転架台１は、電子機器２０を載置するための載置台３、載置台３を支持するための支柱２、載置台３の隅部に固定された側柱４、側柱４の上端に固定された天板５、載置台３および天板５に取り付けられた下部結合体１４および上部結合体１５、収容室の壁に取り付けられかる支柱２の両端が接続されている上部支持体１１および下部支持体１２、上部支持体８および下部支持体９間に配置されかつ下部結合体１４および上部結合体１５に接続された補強柱１３を主要な構成要素として有しており、補強柱１３と下部結合体１４および上部結合体１５の結合を開放し、載置台３を支柱２の軸に関して回転させることができる。【選択図】図３
2007159295.tif 000002
【特許請求の範囲】
【請求項１】
電子機器の収容室内に配置される電子機器用回転架台であって、
電子機器を載置するための、下面に少なくとも１個のキャスターを備えた載置台と、
該載置台を支持するための、上下に伸びている支柱と、
を備えており、
前記支柱は、その軸線に関して回転可能なように、少なくとも１箇所が前記収容室に接続されるようになっており、
前記載置台は、前記支柱と共に回転可能なように、縁辺または周辺部が前記支柱に固定的に接続されていることを特徴とする電子機器用回転架台。
【請求項２】
さらに、
収容室との接続のために、前記支柱がその軸線に関して回転可能なように前記支柱を受容する受容体を備えていることを特徴とする、請求項１に記載の電子機器用回転架台。
【請求項３】
電子機器の収容室内に配置される電子機器用回転架台であって、
電子機器を載置するための、下面に少なくとも１個のキャスターを備えた載置台と、
該載置台を支持するための、上下に伸びている支柱と、
を備えており、
前記支柱は、少なくとも１箇所が前記収容室に接続されるようになっており、
前記載置台は、前記支柱の周囲を支柱の軸線に関して回転可能なように、縁辺または周辺部が前記支柱に相互に可動的に接続されていることを特徴とする電子機器用回転架台。
【請求項４】
さらに、
前記載置台から側方に伸びておりかつ前記支柱の周囲を回転可能なように前記支柱に係合する係合部を有する連結体を備えていることを特徴とする、請求項３に記載の電子機器用回転架台。
【請求項５】
前記載置台の下面にはさらに、収容室の床と接触して載置台の回転を阻止することができかつ上下に移動できるようになっている少なくとも１個のストッパーが備えられていることを特徴とする、請求項１〜４のいずれか１項に記載の電子機器用回転架台。
【請求項６】
さらに、
前記載置台の縁辺または周辺部に固定されておりかつ上方に伸びている複数の側板または側柱と、
該複数の側板または側柱の上端に固定されている天板と、
を備えており、
前記天板は、前記載置台と共に前記支柱の軸線に関して回転できるように、縁辺または周辺部が前記支柱に接続されていることを特徴とする、請求項１〜５のいずれか１項に記載の電子機器用回転架台。
【請求項７】
さらに、
前記載置台の支持を補強するための、上下に伸びており、少なくとも１箇所が前記収容室に固定的に接続されるようになっており、かつ前記支柱と離れた位置に配置される補強柱と、
前記載置台および／または前記天板から側方に伸びておりかつ前記補強柱との取付け部を有する結合体を備えており、
前記結合体の取付け部が、前記補強柱に取り外し可能に固定されていることを特徴とする、請求項６に記載の電子機器用回転架台。
【請求項８】
さらに、
前記載置台と前記支柱との接続部および／または前記天板と前記支柱との接続部の近傍の位置に、前記載置台上に載置される電子機器に接続される複数の配線を一括して保持する配線保持体が設けられていることを特徴とする、請求項６または７に記載の電子機器用回転架台。
【請求項９】
さらに、
収容室の床または壁の下端近傍に水平に伸びるように配置されるようになっている下部支持体を備えており、
前記支柱が、前記下部支持体を介して収容室の床または壁の下端近傍に接続されるようになっていることを特徴とする、請求項１〜８のいずれか１項に記載の電子機器用回転架台。
【請求項１０】
さらに、
収容室の天井または壁の上端近傍に水平に伸びるように配置されるようになっている上部支持体を備えており、
前記支柱が、前記上部支持体を介して収容室の天井または壁の上端近傍に接続されるようになっていることを特徴とする、請求項１〜９のいずれか１項に記載の電子機器用回転架台。
【請求項１１】
複数の前記電子機器用回転架台における前記上部支持体および前記下部支持体が、共通の一本の上部支持体および共通の一本の下部支持体であることを特徴とする、請求項１０に記載の電子機器用回転架台。
【請求項１２】
前記下部支持体および前記上部支持体に対する前記支柱の位置が変更可能になっていることを特徴とする、請求項１０または１１に記載の電子機器用回転架台。
【請求項１３】
前記載置台および前記天板が平面視において略矩形の形状を有しており、
前記支柱が前記略矩形状の載置台および天板の隅部に配置されており、
前記補強柱が、前記略矩形状の載置台および天板における支柱が配置されている隅部に隣接する隅部に配置されていることを特徴とする、請求項６〜１２のいずれか１項に記載の電子機器用回転架台。
【請求項１４】
請求項６〜１３に記載の電子機器用回転架台の使用方法であって、
前記載置台上に電子機器をその背面の側方に前記支柱が来るように載置し、前記電子機器の背面に接続されたケーブルを前記支柱と前記載置台との接続部の近傍の位置および／または前記天板と前記支柱との接続部の近傍の位置で一括してまとめることを特徴とする使用方法。
【請求項１５】
前記電子機器が通信装置であることを特徴とする、請求項１４に記載の使用方法。
【発明の詳細な説明】
【技術分野】
【０００１】
本発明は、通信装置、電源装置、およびこれらの監視制御装置等の電子機器の収容室内に配置される、電子機器を載置するための架台およびその使用方法に関する。
【背景技術】
【０００２】
一般に、光伝送装置や無線機等の通信装置、電源装置、およびこれらの監視制御装置等の電子機器の正面には機器操作のための操作キーおよびスイッチ等が配備されており、電子機器の背面には隣接する電子機器等との間に張り渡されるケーブルおよび機器のメンテナンス部等が配置させている。従って、図６の電子機器を収容した収容室の平面図に示すように、複数の電子機器２０を収容室３０の内部に配置する場合には、電子機器２０の設置スペースの他に、機器正面における機器操作のために必要となる作業通路Ａと、機器背面におけるケーブルの配線工事および機器メンテナンス等の保守作業のために必要となる保守通路Ｂが必要となる。しかしながら、保守通路Ｂは保守作業時にしか必要がなく、かつ保守作業の頻度は一般に極めて少ないため、保守通路Ｂは事実上収容室３０内のデッドスペースとなっている。特に通信局舎や事業所の通信機械室には数多くの通信装置、電源装置、およびこれらの監視制御装置等を接近して配置することになるため、収容室内のデッドスペースをできるだけ少なくするのが望ましい。
【０００３】
そこで、電子機器２０の背面を収容室３０の壁に近接させて配置して保守通路Ｂを無くし、保守作業を行う時のみ対象の電子機器２０を作業通路Ａ側に引き出して作業を行い、作業終了後に再び元の位置に戻すことが行われている。しかしながら、保守作業の間は作業通路Ａが侵食または分断されるため、作業員による他の電子機器２０の機器操作に支障を来たす上に、電子機器２０は重量物であることが多いため、移動に相当の時間を要し、あるいは移動に危険を伴う場合もある。さらに、保守作業対象の電子機器２０は一般的に他の電子機器２０とケーブルにより接続されているため、保守作業時に電子機器の一台が引き出されることを考慮して予め余分の長さを有するケーブルを各電子機器２０に配線しておかなければならず、経済的に不利である。
【０００４】
これに対し、特開平９−８４０９２号公報（特許文献１）は、通信機器を収納する筺体と、床面に設置され上記筺体を回転自在に搭載する減速回転機構を備えた円柱形ベースとで構成される、回転構造を有する基地局通信機器構造を提案している。この基地局通信機器構造では、機器操作のために正面を向いている筐体が、保守作業時には背面を向くように水平方向に回転させられ、作業終了後は再び正面を向くように水平方向に回転させられる。
【０００５】
また、特開平１１−１８７５１８号公報（特許文献２）は、収容箱内に設置される隣接する通信装置を連結してまとめて移動させる収容箱用通信装置を提案している。この公報には、作業通路を挟んで対面した状態で配置されている２つの連結された通信装置群が移動台車上に配置された構成が例示されている。保守作業時には、一方の通信装置群が一括して作業通路側に移動させられて保守通路が確保され、作業終了後は再び元の位置に戻される。
【０００６】
さらに、特開２００５−１５１６５５号公報（特許文献３）は、２つの制御盤のうちの少なくともいずれか一方が可動制御盤からなる移動式制御盤間を連結する重くて数の多いケーブルを確実に支持しつつ制御盤の移動を可能にした特定構造のケーブル処理装置を提案している。この公報においても、２つの制御盤は対面した状態で配置され、保守作業時には一方の制御盤が他方の制御盤側に移動させられて保守通路が確保され、作業終了後は再び元の位置に戻される。そして、特定構造のケーブル処理装置が、一方の制御盤の移動の際にも重くて数の多いケーブルを安定に保持する。
【０００７】
【特許文献１】特開平９−８４０９２号公報
【特許文献２】特開平１１−１８７５１８号公報
【特許文献３】特開２００５−１５１６５５号公報
【発明の開示】
【発明が解決しようとする課題】
【０００８】
特許文献１の基地局通信機器構造によると、保守作業時の保守通路の確保のための作業通路の侵食はわずかになるものの、筐体背面に配線されたケーブルが筐体の回転に付随して作業通路側に引き出されるため、やはり保守作業に備えて予め余分の長さを有するケーブルを筐体に配線しておかなければならず、また、引き出されるケーブルのためのスペースを確保しておかなければならないため、複数の機器構造を接近して配置することができず、さらに、機器構造が複雑で高価である。
【０００９】
また、特許文献２に開示されているような平行移動する通信装置群または特許文献３に開示されているような平行移動する制御盤の場合には、保守作業時の保守通路の確保のための作業通路の侵食がはなはだしく、事実上保守作業を行っている間は機器正面における機器操作を行うことができない。従って、収容室に配置された複数の電子機器のうちの一台のみについての配線変更やメンテナンスが必要な場合でも、他の電子機器の機器操作に支障を来たし、経済的に不利である。
【００１０】
従って、本発明の課題は、保守通路を無くしかつ電子機器を接近させて配置して収容室のデッドスペースをできるだけ少なくすることができ、保守作業時の保守通路の確保のために機器操作のための作業通路が大幅に侵食されることがない、電子機器用架台を提供することである。また、架台に載置される電子機器の配置により、保守作業に備えて余分の長さのケーブルを電子機器に予め配線しておく必要がなくなる、電子機器用架台を提供することである。
【課題を解決するための手段】
【００１１】
上述の課題は、電子機器の収容室内に配置される電子機器用回転架台であって、電子機器を載置するための載置台と、上下に伸びておりかつ載置台に接続されている載置台を支持するための支柱とを必須要素として含んでおり、上記載置台が上記支柱の軸に関して回転可能なように収容室内に配置される電子機器用回転架台によって解決される。この回転架台は、通常少なくとも表面が絶縁性を有する材料、例えば絶縁性材料で被覆された金属により構成される。
【００１２】
本発明の第１の電子機器用回転架台は、電子機器を載置するための下面に少なくとも１個のキャスターを備えた載置台と、該載置台を支持するための上下に伸びている支柱とを備えており、上記支柱はその軸線に関して回転可能なように少なくとも１箇所が上記収容室に接続されるようになっており、上記載置台は上記支柱と共に回転可能なように縁辺または周辺部が上記支柱に固定的に接続されていることを特徴とする。
【００１３】
本発明の第２の電子機器用回転架台は、電子機器の収容室内に配置される電子機器用回転架台であって、電子機器を載置するための下面に少なくとも１個のキャスターを備えた載置台と、該載置台を支持するための上下に伸びている支柱とを備えており、上記支柱は少なくとも１箇所が上記収容室に接続されるようになっており、上記載置台は上記支柱の周囲を支柱の軸線に関して回転可能なように縁辺または周辺部が上記支柱に相互に可動的に接続されていることを特徴とする。
【００１４】
上記支柱は、その少なくとも１箇所が電子機器の収容室に接続されるようになっており、例えば、支柱の外周部が収納室の壁に取り付けられた接続部材を介して接続されていてもよく、収納室の天井または壁の上端近傍まで伸びている支柱の上部が天井または壁の上端近傍に取付けられた接続部材を介して接続されていてもよく、収納室の床または壁の下端近傍まで伸びている支柱の下部が床または壁の下端近傍に取付けられた接続部材を介して接続されていてもよい。また、支柱の少なくとも１箇所に、収容室の天井、床、または壁との接続部が設けられていてもよい。支柱の２箇所以上が収容室に接続されてもよく、例えば支柱の上部と下部とで収容室の天井と床とに接続されてもよい。
【００１５】
上述の第１の形態では、上記支柱はその軸線に関して回転可能なように収容室に接続されるようになっている。この形態では、収容室との接続のために上記支柱がその軸線に関して回転可能なように上記支柱を受容する受容体をさらに備えると、収容室に簡便に電子機器用回転架台を取付けることができかつ回転する支柱を安定に保持できるため好ましい。例えば、支柱が収容室の天井および床の近傍まで伸びている場合には、収容室の床または壁の下端近傍に接続される支柱の下部を受容している下部受容体と、収容室の天井または壁の上端近傍に接続される支柱の上部を受容している上部受容体とを備えることができる。上述の第２の形態では、支柱自体はその軸線に関して回転不可能なように収容室に接続されてもよい。上記支柱の横断面の形状は、支柱の軸線に関して回転可能であれば限定がないが、支柱は円柱形または円筒形が好ましい。
【００１６】
上記載置台の形状は、電子機器が載置可能であれば特に限定がないが、平面視において略矩形の形状を有していると、一般的に矩形の底面を有している電子機器を効率よく載置できるため好ましい。載置台の下面には、少なくとも１個のキャスターが備えられており、載置台が収納室の床から一定距離に保たれるとともに移動可能なようになっている。キャスターの数は、載置台を安定に支持できるように選択され、一般的には載置台の下面の周辺部に取付けられる。例えば、上述の略矩形の載置台の場合には、４つの隅部近傍にそれぞれキャスターが取付けられるのが好ましい。
【００１７】
そして、上記載置台の縁辺または周辺部は、上記支柱の外周部に接続されている。載置台と支柱との接続方法については、支柱自体がその軸に関して回転可能な第１の形態では、載置台が支柱に対して固定的に接続され、支柱自体がその軸に関して回転する必要のない第２の形態では、載置台が支柱の周囲を回転可能なように接続されていれば、特に限定がない。載置台が支柱に対して固定的に接続されるばあいには、例えば、支柱の外周部を載置台の縁辺に溶接してもよく、あるいは、載置台の周辺部、例えば上述の略矩形の載置台の４つの隅部のうちのいずれかの隅部に支柱を貫通させるための開口部を設け、この開口部に支柱を貫通させた後に溶接してもよい。また、載置台が支柱の周囲を回転可能なように接続される場合には、載置台から側方に伸びておりかつ上記支柱の周囲を回転可能なように上記支柱に係合する係合部を有する連結体をさらに備えることができ、あるいは、載置台の周辺部、例えば上述の略矩形の載置台の４つの隅部のうちのいずれかの隅部に支柱を貫通させるための開口部を設け、この開口部に支柱を貫通させ、載置台と支柱とが相互に回転可能なように接続してもよい。
【００１８】
上述の電子機器用回転架台には、さらに、上記載置台の縁辺または周辺部に固定されておりかつ上方に伸びている複数の側板または側柱と、該複数の側板または側柱の上端に固定されている天板とを備えることができる。この天板は、上記載置台と共に上記支柱の軸線に関して回転できるように、縁辺または周辺部が上記支柱に接続されており、一般にはこの天板が備えられている架台の載置台と同一の形状を有している。天板と支柱との接続方法は、載置台と支柱との接続方法と同一にすればよい。例えば、上記載置台が上記支柱に対して回転可能なように接続されている場合には、載置台から側方に伸びておりかつ支柱の周囲を回転可能なように支柱に係合する係合部を有する下部連結体と、天板から側方に伸びておりかつ支柱の周囲を回転可能なように支柱に係合する係合部を有する上部連結体とを備えることができる。
【００１９】
本発明の電子機器用回転架台では、載置台が支柱の軸に関して回転できるようになっている。従って、この電子機器用回転架台の支柱が収容室の壁の近傍に来るように配置し、載置台上に電子機器をその背面の側方に支柱が来るように配置すると、機器正面での機器操作をスムーズに行うことができ、また保守作業が必要な場合には、支柱の軸を中心に載置台を回転させることにより、機器の背面における保守作業を行うことができる。また、機器の背面に接続されたケーブルを、上記支柱と上記載置台との接続部の近傍の位置または上記天板と上記支柱との接続部の近傍の位置でまとめた後に他の機器に配線すると、保守作業時の載置台の支柱を中心とした回転によってケーブルが大きく引っ張られることがないため、保守作業に備えて余分の長さのケーブルを予め電子機器に配線しておく必要がない。また、電子機器の回転に付随して引き出されるケーブルのためのスペースを予め確保しておく必要がないため、複数の電子機器を接近して配置することができる。電子機器に接続されている複数の配線を一括して支柱近傍で保持するためには、上記載置台と上記支柱との接続部および／または上記天板と上記支柱との接続部の近傍の位置に、上記載置台上に載置される電子機器に接続される複数の配線を一括して保持する配線保持体を設けておくのが好ましい。
【００２０】
本発明の電子機器用回転架台において、上記載置台の下面にはさらに、収容室の床と接触して上記載置台の回転を阻止することができかつ上下に移動できるようになっている少なくとも１個のストッパーが備えられているのが好ましい。電子機器の機器操作または保守作業を行っている間は、ストッパーを下に移動させてその下端を床と接触させて載置台の回転を阻止して架台を安定に維持し、載置台を回転させる際には、ストッパーを上に移動させてその下端を床から離してから載置台を回転させればよい。
【００２１】
上述の電子機器用回転架台において、さらに、上記載置台の支持を補強するための上下に伸びており少なくとも１箇所が上記収容室に固定的に接続されるようになっておりかつ上記支柱と離れた位置に配置される補強柱と、上記載置台および／または上記天板から側方に伸びておりかつ上記補強柱との取付け部を有する結合体を備え、上記結合体の取付け部を上記補強柱に取り外し可能に固定することもできる。このようにすると、機器操作をする際の電子機器用回転架台の構造および位置がさらに安定する。載置台を支柱の軸に関して回転させる際には、上記結合体の取付け部を上記補強柱から取り外した後に回転させればよい。
【００２２】
本発明の電子機器用回転架台の支柱を収容室に接続する場合には、支柱の上端と下端の両方が収容室に接続されると、支柱により載置台が安定に支持され、また、支柱が収容室の天井および床の近傍まで延長されていると、架台における載置台の高さを低くかつ天板の高さを高く設計できるため、載置台上に大型で重量のある電子機器を安定に載置することができるようになり好ましい。この場合には、収容室の床または壁の下端近傍に水平に伸びるように配置される下部支持体を備え、上記支柱を上記下部支持体を介して収容室の床または壁の下端近傍に接続することができ、または、収容室の天井または壁の上端近傍に水平に伸びるように配置される上部支持体を備え、上記支柱を上記上部支持体を介して収容室の天井または壁の上端近傍に接続することができる。
【００２３】
上述の形態は、複数の電子機器用回転架台における上記上部支持体および上記下部支持体が、共通の一本の上部支持体および共通の一本の下部支持体である場合に特に有利である。そして、この形態において下部支持体および上部支持体に対する支柱の位置を変更できるようにしておくと、複数の電子機器用回転架台における載置台を必要に応じて接近して配置することができ、必要に応じて支柱の位置を容易に変更できるため好ましい。尚、上記補強柱も下部支持体および上部支持体に接続することができ、下部支持体および上部支持体に対する支柱の位置の変更に伴い、補強柱の位置も変更することができる。
【００２４】
本発明の電子機器用回転架台において、上記載置台および上記天板が平面視において略矩形の形状を有しており、上記支柱が上記略矩形状の載置台および天板の隅部に配置されており、上記補強柱が上記略矩形状の載置台および天板における支柱が配置されている隅部に隣接する隅部に配置されているのが好ましい。このようにしておくと、電子機器を密接させて配置させることができるうえに、電子機器回転架台の構造および位置が安定するために好ましい。
【００２５】
本発明はまた、上述の電子機器用回転架台の使用方法であって、上記載置台上に電子機器をその背面の側方に上記支柱が来るように載置し、上記電子機器の背面に接続されたケーブルを上記支柱と上記載置台との接続部の近傍の位置および／または上記天板と上記支柱との接続部の近傍の位置で一括してまとめることを特徴とする使用方法に関する。このようにすると、機器操作のための作業通路を侵食することなく保守作業を行うことができる上に、電子機器を収容室の床に直に設置する場合に比較して、地震等による収容室の振動から電子機器を保護する効果も有している。従って、本発明の本発明の電子機器用回転架台は、収容室に一般に密接に配置されておりかつ振動から保護されるのが望ましい通信装置の載置に特に適している。
【発明の効果】
【００２６】
本発明の電子機器用回転架台では、上記載置台が上記支柱の軸に関して回転できるようになっているため、保守作業が必要な場合には、支柱の軸に関して載置台を回転させることにより、機器の背面における保守作業を行うことが可能になり、従って保守通路を無くして収容室のデッドスペースを減少させることができる。また、保守通路の確保のために機器操作のための作業通路が侵食または分断されることがないため、他の電子機器の機器操作に影響がない。さらに、電子機器を載置台上に機器の背面の側方に支柱が来るように配置し、機器の背面に接続されたケーブルを支柱と載置台との接続部の近傍の位置でまとめた後に他の機器に配線することにより、保守作業時の載置台の支柱を中心とした回転によってケーブルが大きく引っ張られることがないため、保守作業に備えて余分の長さのケーブルを電子機器に予め配線しておく必要がなく、経済的に有利である。また、電子機器の回転に付随して引き出されるケーブルのためのスペースを確保しておく必要がないため、複数の回転架台の載置台を、従って複数の電子機器を接近して配置することができ、収容室のデッドスペースをさらに効果的に減少させることができる。また、電子機器を収容室の床に直に設置する場合に比較して、地震等による収容室の振動から電子機器が保護される。
【発明を実施するための最良の形態】
【００２７】
以下、本発明の実施の形態について、図面を参照しながら説明する。
【００２８】
（第１実施形態）
図１は、本発明の一実施形態の電子機器用回転架台の概略を示す斜視図を示している。（ａ）、（ｂ）は、それぞれ別方向から見た斜視図を示している。本実施の形態の電子機器用回転架台１は、電子機器を載置するための平面視において略矩形の形状を有する載置台３と、載置台３を支持するための円筒状の支柱２と、略矩形状の載置台３の隅部に固定された４本のＬ字状の横断面を有する側柱４と、側柱４の上端に固定された載置台３と同様に平面視において略矩形の形状を有する天板５とを主要な構成要素として備えており、絶縁性の樹脂被覆を有する鋼により構成されている。
【００２９】
略矩形状の載置台３の下面には、各隅部の近傍の位置に４個のキャスター６が取付けられており、また、前方の隅部には２個のストッパー７が備えられている。ストッパー７はＴ字状の形状を有しており、その下端にはゴム面７ａが形成されており、上部には雄ネジ部（図示せず）が形成されている。一方、載置台３には上記雄ネジ部に対応する雌ネジ部（図示せず）が設けられており、ストッパー７を回転させることにより、ストッパー７が上下に移動するようになっている。
【００３０】
円筒状の支柱２の外周は、２ａ、２ｂの位置で、載置台３と天板５の隅部にそれぞれ溶接固定されており、上部２ｃおよび下部２ｄの直径が中間部２ｅの直径よりわずかに小さく構成されている。そして、支柱２の上部２ｃは、支柱２を受容するための円形の孔８ａと後述する上部支持体１１との固定のための孔８ｂを備えた平板状の上部受容体８の孔８ａ内に貫通させられ、支柱２の下部２ｄは、支柱２を受容するための円形の孔９ａと後述する下部支持体１２との固定のための孔９ｂを備えた平板状の下部受容体９の孔９ａ内に貫通させられるようになっている。そして、支柱２の上部２ｃの外周と上部受容体８の孔８ａの内周との間および支柱２の下部２ｄの外周と下部受容体９の孔９ａの内周との間にはわずかな隙間が存在し、支柱２がその軸に関して円形の孔８ａおよび９ａの内部で回転できるようになっている。また、天板５の支柱２との接続部の近傍には孔１０が設けられている。この孔１０は、その内部に載置台３上に載置される電子機器の背面に配線されるケーブルが一括して通される配線保持体１０として機能する。
【００３１】
本実施の形態では、収容室の壁の上端近傍に水平に伸びるように配置されるＬ字型の上部支持体１１と、収容室の壁の下端近傍に水平に伸びるように配置されるＬ字型の下部支持体１２とが備えられており、上部支持体１１と下部支持体１２とはそれぞれアンカーボルトにより壁に固定されるようになっている。上部支持体１１および下部支持体１２には、複数の孔１１ａ、１２ａが設けられており、上部受容体８の孔８ｂと上部支持体１１に設けられた適当な位置の孔１１ａにボルトを通してナットで締め付けることにより、上部受容体８を上部支持体１１に固定することができ、下部受容体９の孔９ｂと下部支持体１２に設けられた適当な位置の孔１２ａにボルトを通してナットで締め付けることにより、下部受容体９を下部支持体１２に固定することができるようになっており、このようにして支柱２を上下に伸びるように配置することができる。上部受容体８が取付けられる上部支持体１１の孔１１ａおよび下部受容体９が取付けられる下部支持体１２の孔１２ａの位置を変更することにより、収納室における支柱２の取付け位置、従ってまた電子機器用回転架台１の取付け位置を変更することができる。
【００３２】
本実施の形態では、載置台３の支持を補強するための補強柱１３がさらに設けられており、載置台３の支柱２が配置された隅部に隣接する隅部には下部結合体１４が、天板５の支柱２が配置された隅部に隣接する隅部には上部結合体１５が、それぞれ側方に伸びるように取付けられている。下部結合体１４および上部結合体１５の先端にはそれぞれ孔１６、１６´が設けられており、これらの孔は下部結合体１４および上部結合体１５の取付け部１６、１６´として機能する。そして、補強柱１３には取付け部１６、１６´に対応する孔が設けられており、取付け部１６、１６´と補強柱１３とは、ボルトとナットにより取り外し可能に取付けられる。
【００３３】
補強柱１３の上端および下端は直角に折り曲げられ、上端には上部支持体１１との固定のための孔１３ａが設けられており、下端には下部支持体１２との固定のための孔１３ｂが設けられている。補強柱１３の上端の孔１３ａと上部支持体１１に設けられた適当な位置の孔１１ａにボルトを通してナットで締め付けることにより、補強柱１３の上端を上部支持体１１に固定することができ、補強柱１３の下端の孔１３ｂと下部支持体１２に設けられた適当な位置の孔１２ａにボルトを通してナットで締め付けることにより、補強柱１３の下端を下部支持体１２に固定することができるようになっており、このようにして補強柱１３を上下に伸びるようにかつ支柱２と離れた位置に配置することができる。
【００３４】
本実施の形態の電子機器用回転架台を電子機器の収容室内に配置する場合には、まず収容室の壁の上端近傍の位置に上部支持体１１を、壁の下端近傍の位置に下部支持体１２を、それぞれ水平方向に伸びるようにアンカーボルトで固定し、次いで支柱２の上部２ｃに取付けられた上部受容体８、支柱２の下部２ｄに取付けられた下部受容体９、および下部結合体１４および上部結合体１５に取付けられた補強柱１３を、それぞれ上部支持体１１および下部支持体１２に取付け、ストッパー７を回転させることによりそのゴム面７ａが収容室の床に十分に接触するまで下げ、電子機器用回転架台１の位置を安定化させる。
【００３５】
図２は、本実施の形態の電子機器用回転架台１を収容室３０内に配置した平面図を示している。本実施の形態の電子機器用回転架台１では、複数の電子機器用回転架台１が共通の上部支持体１１および下部支持体１２を有している。
【００３６】
図３のａ）は、本実施の形態の電子機器用回転架台１の載置台３上に電子機器２０を載置した図を示している。電子機器２０は、その背面が支柱２および補強柱１３の方向に向くように載置され、電子機器２０に接続されるケーブル２１は、天板５に設けられた孔（配線保持体）１０内に通され、隣接する電子機器等に配線される。
【００３７】
図３のｂ）は、電子機器２０の保守のために電子機器用回転架台１の載置台３を支柱２の軸に関して約９０°回転させた状態を示している。電子機器用回転架台１の載置台３を支柱２の軸に関して回転させる場合には、補強柱１３と下部結合体１４および上部結合体１５の取付け部１６、１６´との結合をとき、ストッパー７を回転させてゴム面７ａが収容室の床から離れるまで上に移動させた後、載置台３、側柱４、または天板５に手を添えて支柱２の軸に関して回転させればよい。回転後には、再びストッパー７を回転させてゴム面７ａが床と接触するようにし、電子機器用回転架台１の位置を安定に保持する。この回転によっても、電子機器２０のケーブル２１にはあまり負荷がかからないため、本実施の形態では保守作業に備えて予め電子機器２０に余分の長さのケーブルを配線しておく必要がない。
【００３８】
図２には、電子機器２０−２の保守のために電子機器用回転架台１−１および１−２を回転させた場合の天板５−１、５−２の位置が仮想線で示されている。電子機器２０−２の背面に、作業員による保守作業のためのスペースが確保される。電子機器２０−１の機器操作が必要となる場合には、上部支持体１１および下部支持体１２と電子機器用回転架台１−１、１−２の上部受容体８および下部受容体９の上部支持体１１および下部支持体１２に対する取付け位置をわずかに図２の右側に変更し、電子機器２０−１の正面に機器作業のためのスペースを確保すればよい。
【００３９】
（第２実施形態）
図４は、本発明の他の実施形態の電子機器用回転架台１の概略を示す斜視図である。（ａ）、（ｂ）は、それぞれ別方向から見た斜視図を示している。上述の実施の形態と同様の構成要素には同一の記号を当てて説明を省略し、以下では上述の形態と異なる点について主に説明する。
【００４０】
本実施の形態の電子機器用回転架台１は、電子機器を載置するための平面視において略矩形の形状を有する載置台３と、載置台３を支持するための円筒状の支柱２と、略矩形状の載置台３の隅部に固定された４本のＬ字状の横断面を有する側柱４と、側柱４の上端に固定された平面視において略矩形の形状を有する天板５とを主要な構成要素として備えており、絶縁性の樹脂被覆を有する鋼により構成されている。
【００４１】
本実施の形態の電子機器用回転架台１の支柱２には、その上端に収容室の天井との接合部２ｆが設けられており、その下端に収容室の床との接合部２ｇが設けられている。天井との接合部２ｆをアンカーボルトにより天井に固定し、床との接合部２ｇをアンカーボルトにより床に固定することができる。
【００４２】
また、略矩形状の載置台３には、その下面には４個のキャスター６と２個のストッパー７が備えられている他、隅部の縁辺には側方に伸びる下部連結体１７が設けられており、隣接する隅部には下部結合体１４が設けられている。天板５には孔（配線保持体）１０の他、隅部の縁辺には側方に伸びる上部連結体１８が設けられており、隣接する隅部には上部結合体１５が設けられている。
【００４３】
下部連結体１７および上部連結体１８は、載置台３および天板５に取付けられた２枚の半円状の板片を含んでおり、２枚の半円状の板片はそれぞれ支柱２との係合のための係合部１９、１９´として機能する。係合部１９の２枚の半円状の板片の間に支柱を通した後、それぞれの先端をボルトおよびナットにより固定することにより、載置台３および天板５を支柱２に接続することができる。そして、支柱２の外周と係合部１９、１９´の内周との間にはわずかな隙間が存在し、支柱２と載置台３および天板５とが相互に可動的に接続される。従って、載置台３および天板５が支柱２の軸に関して回転できるようになっている。
【００４４】
本実施の形態では、載置台３の支持を補強するための補強柱１３がさらに設けられており、補強柱１３の上端には収容室の天井への接合部１３ｃが設けられており、下端には収容室の壁の下端近傍への接合部１３ｄが設けられている。天井との接合部１３ｃをアンカーボルトにより天井に固定し、壁との接合部１３ｄをアンカーボルトにより壁に固定することができる。また、下部結合体１４と上部結合体１５の取付け部１６、１６´と補強柱１３とは、ボルトとナットにより取り外し可能に取付けられる。
【００４５】
本実施の形態の電子機器用回転架台１を電子機器の収容室内に配置する場合には、まず収容室の天井に支柱２の上端の接合部２ｆと補強柱１３の上端の接合部１３ｃを、収容室の床に支柱２の下端の接合部２ｇを、収容室の壁の下端近傍に補強柱１３の下端の接合部１３ｄをそれぞれアンカーボルトで固定し、支柱２に載置台３と天板５の側方の下部連結体１７と上部連結体１８の係合部１９、１９´を係合させてボルトおよびナットにより締め付けて取り付け、下部結合体１４と上部結合体１５の取付け部１６、１６´をボルトおよびナットにより補強柱１３´に取り付ける。そして、ストッパー７をそのゴム面７ａが収容室の床に十分に接触するまで回転させる。
【００４６】
電子機器用回転架台１の載置台３を支柱２の軸に関して回転させる場合には、補強柱１３と下部結合体１４および上部結合体１５の取付け部１６、１６´との結合をとき、ストッパー７のゴム面７ａが収容室の床から離れるまでストッパー７を回転させた後、載置台３、側柱４、または天板５に手を添えて支柱２の軸に関して回転させればよい。回転後には、再びストッパー７を回転させてゴム面７ａが床と接触するようにし、電子機器用回転架台１を安定させる。
【００４７】
（第３実施形態）
図５は、本発明のさらに別の実施形態の電子機器用回転架台１の概略を示す斜視図である。（ａ）、（ｂ）は、それぞれ別方向から見た斜視図を示している。上述の実施の形態と同様の構成要素には同一の記号を当てて説明を省略し、以下では上述の形態と異なる点について説明する。
【００４８】
本実施の形態の電子機器用回転架台１は、電子機器を載置するための平面視において略矩形の形状を有する載置台３と、載置台３を支持するための支柱２とを主要な構成要素として備えており、絶縁性の樹脂被覆を有する鋼により構成されている。
【００４９】
本実施の形態の電子機器用回転架台１の支柱２には、その上端および下端に収容室の壁との接合部２ｈが支柱２の上部および下部を屈曲させることにより形成されており、壁に接合部２ｈをアンカーボルトにより固定することができる。
【００５０】
また、略矩形状の載置台３には、その下面には４個のキャスター６と２個のストッパー７が備えられている他、隅部の縁辺には側方に伸びる連結体１７が設けられている他、電子機器のケーブルを一括して保持するための孔（配線保持体）１０が設けられている。
【００５１】
連結体１７は、載置台３に取り付けられた基部と基部から伸びる半円形の板片により形成されており、半円状の板片が支柱２との係合のための係合部１９として機能する。係合部１９の半円状の板片を支柱の周囲に合わせ、両端の基部をボルトおよびナットにより載置台３に固定することにより、載置台３を支柱２に接続することができる。そして、支柱２の外周と係合部１９の内周との間にはわずかな隙間が存在し、支柱２と載置台３とが相互に可動的に接続される。従って、載置台３が支柱２の軸に関して回転できるようになっている。
【００５２】
本実施の形態の電子機器用回転架台を電子機器の収容室内に配置する場合には、まず収容室の壁に支柱２の接合部２ｈをアンカーボルトで固定し、支柱２に連結体１７の係合部１９を合わせ、基部をボルトおよびナットにより載置台３に取り付ける。そして、ストッパー７をそのゴム面７ａが収容室の床に十分に接触するまで回転させる。
【００５３】
電子機器用回転架台１の載置台３を支柱２の軸に関して回転させる場合には、ストッパー７のゴム面７ａが収容室の床から離れるまでストッパー７を回転させた後、載置台３に手を添えて支柱２の軸に関して回転させればよい。回転後には、再びストッパー７を回転させてゴム面７ａが床と接触するようにし、電子機器用回転架台１の位置を安定させる。
【００５４】
以下、本発明の３つの実施形態について説明したが、本発明は上述の実施の形態に限定されず、本発明の趣旨を逸脱しない範囲内での変更が可能である。例えば、載置台および天板の形状は平面視において略矩形の形状である必要はなく、例えば平面視において半円状であってもよい。この場合には、支柱および補強柱は例えば直線部分の両端にそれぞれ配置することができ、電子機器をその背面が支柱および補強柱の方向を向くように載置台上に配置することができる。また、載置台と天板とが側柱で結合されている必要はなく、例えば略矩形の載置台および天板の対向する縁辺に固定された側板により結合されていてもよい。さらに、支柱は円筒状である必要はなく、例えば、上下に伸びる４角柱体の両端に、４角柱体の外周に係合する内周と横断面が円形の外周を有する蓋体を被せ、この蓋体を上部受容体および下部受容体の孔に貫通させてもよい。また、上部支持体および下部支持体をスライドレールとして構成し、上部受容体および下部受容体にスライドレール内に係合するスライド部を設け、架台の位置を容易に変更可能にすることもできる。さらに、配線保持体は載置板または天板に設けられている必要はなく、支柱に結合されておりかつ支柱と共に支柱の軸に関して回転できるようになっている、配線を一括しては把持する把持部を有する配線保持体であってもよい。
【図面の簡単な説明】
【００５５】
【図１】（ａ）、（ｂ）は、本発明の一実施形態の電子機器用回転架台の概略についてのそれぞれ別方向から見た斜視図である。
【図２】図１に示す電子機器用回転架台を電子機器の収容室に配置した平面図である。
【図３】（ａ）は図１に示す電子機器用回転架台に電子機器を載置した図である。（ｂ）は、電子機器の保守のために電子機器用回転架台を回転させた図である。
【図４】（ａ）、（ｂ）は、本発明の別の実施形態の電子機器用回転架台の概略についての、それぞれ別方向から見た斜視図である。
【図５】（ａ）、（ｂ）は、本発明のさらに別の一実施形態の電子機器用回転架台の概略についての、それぞれ別方向から見た斜視図である。
【図６】電子機器を収容した収容室の平面図である。
【符号の説明】
【００５６】
１      電子機器用回転架台
２      支柱
３      載置台
４      側柱
５      天板
６      キャスター
７      ストッパー
８      上部受容体
９      下部受容体
１０    配線保持体
１１    上部支持体
１２    下部支持体
１３    補強柱
１４    下部結合体
１５    上部結合体
１６、１６´    取付け部
１７    下部連結体
１８    上部連結体
１９、１９´    係合部
２０    電子機器
２１    ケーブル
３０    収容室
Ａ      作業通路
Ｂ      保守通路
【図１】
2007159295.tif 000003
【図２】
2007159295.tif 000004
【図３】
2007159295.tif 000005
【図４】
2007159295.tif 000006
【図５】
2007159295.tif 000007
【図６】
2007159295.tif 000008